(57)【要約】【課題】医用画像とダイアログをモニタ上に見やすく表示させる。【解決手段】医用画像表示装置２０は、表示部２２のビューア画面Ｇ１に医用画像に関する各種情報のダイアログを表示し、記憶部２５にデフォルトダイアログを特定するための識別情報を記憶する。操作部２４は、ビューア画面Ｇ１に表示されたダイアログの表示形態を変更させる表示変更指示を入力し、制御部２１は、この表示変更指示に対応するダイアログを第１の表示形態から第２の表示形態に変更してビューア画面Ｇ１に表示させる。【選択図】図４
2010142574.tif 000002
【特許請求の範囲】
【請求項１】
医用画像及び当該医用画像に関する各種情報のダイアログを表示する表示手段と、
前記表示手段に表示すべきダイアログを特定するための識別情報を記憶する記憶手段と、
前記表示手段に表示されたダイアログの表示形態を変更させる表示変更指示を入力するための操作手段と、
前記記憶手段に記憶された識別情報によって特定されるダイアログを前記表示手段に第１の表示形態で表示させ、前記操作手段によって前記ダイアログの表示変更指示が入力された場合、当該ダイアログを第２の表示形態で前記表示手段に表示させる制御手段と、
を備える医用画像表示装置。
【請求項２】
前記操作手段は、第２の表示形態で表示されたダイアログに対応する各種情報の入力をするためのアクティブ指示を入力するものであって、
前記制御手段は、前記操作手段によってアクティブ指示が入力された場合、前記表示手段に第２の表示形態で表示されたダイアログに対する前記操作手段からの操作入力を受け付ける請求項１に記載の医用画像表示装置。
【請求項３】
前記制御手段は、前記操作手段によってアクティブ指示が入力されない場合、前記表示手段に第２の表示形態で表示されたダイアログを第１の表示形態で表示させる請求項２に記載の医用画像表示装置。
【請求項４】
前記操作手段はマウスであって、
前記マウスから入力されるアクティブ指示は、前記表示手段に表示された第２の表示形態のダイアログをクリックすることである請求項２又は３に記載の医用画像表示装置。
【請求項５】
前記操作手段はマウスであって、
前記マウスから入力される表示変更指示は、前記表示手段に表示された第１の表示形態のダイアログにマウスポインタを合わせることである請求項１〜３のいずれか一項に記載の医用画像表示装置。
【請求項６】
前記第１の表示形態は前記表示手段に表示された医用画像の表示位置とは異なる位置に前記ダイアログを表示させる表示形態であり、前記第２の表示形態は前記表示手段に表示された医用画像に重畳させて前記第１の表示形態のダイアログよりも大きく表示させる表示形態である請求項１〜５のいずれか一項に記載の医用画像表示装置。
【請求項７】
医用画像及び当該医用画像に関する各種情報のダイアログを表示する表示手段と、前記表示手段に表示すべきダイアログを特定するための識別情報を記憶する記憶手段と、前記表示手段に表示されたダイアログの表示形態を変更させる表示変更指示を入力するための操作手段と、を備えたコンピュータの医用画像表示方法であって、
前記コンピュータによって、前記記憶手段に記憶された識別情報によって特定されるダイアログを前記表示手段に第１の表示形態で表示させ、前記操作手段によって前記ダイアログの表示変更指示が入力された場合、当該ダイアログを第２の表示形態で前記表示手段に表示させる工程を有する医用画像表示方法。
【請求項８】
医用画像及び当該医用画像に関する各種情報のダイアログを表示する表示手段と、前記表示手段に表示すべきダイアログを特定するための識別情報を記憶する記憶手段と、前記表示手段に表示されたダイアログの表示形態を変更させる表示変更指示を入力するための操作手段と、を備えるコンピュータを、
前記記憶手段に記憶された識別情報によって特定されるダイアログを前記表示手段に第１の表示形態で表示させ、前記操作手段によって前記ダイアログの表示変更指示が入力された場合、当該ダイアログを第２の表示形態で前記表示手段に表示させる制御手段として機能させるプログラム。
【発明の詳細な説明】
【技術分野】
【０００１】
本発明は、医用画像表示装置、医用画像表示方法、及びプログラムに関するものである。
【背景技術】
【０００２】
近年、病院での医用画像の電子データ化がすすみ、医用画像の撮影から表示までの一連の処理を行うための医用画像システムが構築されている。この医用画像システムのサーバには、撮影装置（モダリティ）により得られた医用画像のデータが記憶されており、医師の操作指示に応じて、サーバから医用画像を取得し、ＰＣ（Personal Computer）のモニタに表示することが可能となっている。
【０００３】
従来、読影の効率を上げるために、医用画像や診断情報をモニタに見やすく表示させる技術が種々考案されている。
【０００４】
特許文献１には、医用画像表示装置を管理するサーバを備える医用画像システムにおいて、医用画像表示装置ごとに割り当てられた表示装置ＩＤに応じてモニタの画面構成をサーバが決定し、医用画像を見やすく表示させる技術が開示されている。
【特許文献１】特開２００８−２２９２４４号公報
【発明の開示】
【発明が解決しようとする課題】
【０００５】
しかしながら、画面構成を工夫して医用画像を見やすく表示させても、この医用画像に関する診断情報のダイアログボックス（以下、単にダイアログという）を表示させた場合、医用画像が見づらくなることが多い。
【０００６】
図８に、医用画像とダイアログを表示させた場合の表示画面の一例を示す。
ダイアログを医用画像に重畳させて表示させた場合、図８（ａ）に示すように医用画像がダイアログに隠れてしまう。複数のダイアログを同時に表示させた場合、ダイアログ同士が重なってしまいさらに見づらくなる。ダイアログによって隠れてしまった医用画像を見るためには、医師はマウス等の操作部による入力によってダイアログを消去させたり移動させたりしなければならない。
医用画像とダイアログを並べて表示させた場合、図８（ｂ）に示すように医用画像とダイアログが共に小さくなってしまう。
マウスポインタをツールチップに合わせることによって一時的にダイアログを表示させた場合、図８（ｃ）に示すようにマウスポインタがツールチップに合うたびにダイアログが表示されてしまう。つまり、必要がない時であっても誤操作によってダイアログが表示されてしまう可能性が高い。また、この場合に表示されるダイアログには文字情報等の簡単な内容の表示しかできないことも多く、マウスやキーボード等から各種情報を入力するためには、図８（ａ）のように医用画像に重畳させて大きなダイアログを表示させる必要がある。
【０００７】
特許文献１に記載の技術では、医用画像表示装置のモニタ構成に応じて医用画像を見やすく表示させることはできるが、ダイアログの表示／非表示に応じて医用画像を見やすくすることはできず、ダイアログを表示させた際には医用画像が見づらくなってしまう。
【０００８】
本発明は上記課題に鑑みてされたものであり、その目的とするところは、医用画像とダイアログをモニタ上に見やすく表示させることである。
【課題を解決するための手段】
【０００９】
上記課題を解決するため、請求項１に記載の発明は、
医用画像及び当該医用画像に関する各種情報のダイアログを表示する表示手段と、
前記表示手段に表示すべきダイアログを特定するための識別情報を記憶する記憶手段と、
前記表示手段に表示されたダイアログの表示形態を変更させる表示変更指示を入力するための操作手段と、
前記記憶手段に記憶された識別情報によって特定されるダイアログを前記表示手段に第１の表示形態で表示させ、前記操作手段によって前記ダイアログの表示変更指示が入力された場合、当該ダイアログを第２の表示形態で前記表示手段に表示させる制御手段と、
を備える。
【００１０】
請求項２に記載の発明は、請求項１に記載の発明において、
前記操作手段は、第２の表示形態で表示されたダイアログに対応する各種情報の入力をするためのアクティブ指示を入力するものであって、
前記制御手段は、前記操作手段によってアクティブ指示が入力された場合、前記表示手段に第２の表示形態で表示されたダイアログに対する前記操作手段からの操作入力を受け付ける。
【００１１】
請求項３に記載の発明は、請求項２に記載の発明において、
前記制御手段は、前記操作手段によってアクティブ指示が入力されない場合、前記表示手段に第２の表示形態で表示されたダイアログを第１の表示形態で表示させる。
【００１２】
請求項４に記載の発明は、請求項２又は３に記載の発明において、
前記操作手段はマウスであって、
前記マウスから入力されるアクティブ指示は、前記表示手段に表示された第２の表示形態のダイアログをクリックすることである。
【００１３】
請求項５に記載の発明は、請求項１〜３のいずれか一項に記載の発明において、
前記操作手段はマウスであって、
前記マウスから入力される表示変更指示は、前記表示手段に表示された第１の表示形態のダイアログにマウスポインタを合わせることである。
【００１４】
請求項６に記載の発明は、請求項１〜５のいずれか一項に記載の発明において、
前記第１の表示形態は前記表示手段に表示された医用画像の表示位置とは異なる位置に前記ダイアログを表示させる表示形態であり、前記第２の表示形態は前記表示手段に表示された医用画像に重畳させて前記第１の表示形態のダイアログよりも大きく表示させる表示形態である。
【００１５】
請求項７に記載の発明は、
医用画像及び当該医用画像に関する各種情報のダイアログを表示する表示手段と、前記表示手段に表示すべきダイアログを特定するための識別情報を記憶する記憶手段と、前記表示手段に表示されたダイアログの表示形態を変更させる表示変更指示を入力するための操作手段と、を備えたコンピュータの医用画像表示方法であって、
前記コンピュータによって、前記記憶手段に記憶された識別情報によって特定されるダイアログを前記表示手段に第１の表示形態で表示させ、前記操作手段によって前記ダイアログの表示変更指示が入力された場合、当該ダイアログを第２の表示形態で前記表示手段に表示させる工程を有する。
【００１６】
請求項８に記載の発明は、
医用画像及び当該医用画像に関する各種情報のダイアログを表示する表示手段と、前記表示手段に表示すべきダイアログを特定するための識別情報を記憶する記憶手段と、前記表示手段に表示されたダイアログの表示形態を変更させる表示変更指示を入力するための操作手段と、を備えるコンピュータを、
前記記憶手段に記憶された識別情報によって特定されるダイアログを前記表示手段に第１の表示形態で表示させ、前記操作手段によって前記ダイアログの表示変更指示が入力された場合、当該ダイアログを第２の表示形態で前記表示手段に表示させる制御手段として機能させる。
【発明の効果】
【００１７】
本発明によれば、医用画像とダイアログをモニタ上に見やすく表示させることができるようになる。
【発明を実施するための最良の形態】
【００１８】
以下、図を参照して本発明の実施の形態を詳細に説明する。図１は、本発明に関わる医用画像表示装置を適用した医用画像管理システム１のシステム構成を示すブロック図である。
【００１９】
図１に示すように、医用画像管理システム１は、管理サーバ１０、医用画像表示装置２０、モダリティ３０、ＤＢサーバ４０、フィルム出力装置５０により構成されている。医用画像管理システム１の各構成装置はネットワークＮを介して互いにデータ送受信可能に接続されている。ネットワークＮは、ＤＩＣＯＭ（Digital Imaging and Communication in Medicine）規格に従ったＬＡＮ（Local Area Network）である。
以下、医用画像管理システム１の各構成装置について説明する。
【００２０】
管理サーバ１０は、モダリティ３０により生成された医用画像を患者情報と対応付けてＤＢサーバ４０に記憶させたり、ＤＢサーバ４０に保存された各種処理データの管理を統括的に行うためのものである。管理サーバ１０は、ＣＰＵやＲＡＭ等から構成され、一般的なＰＣよりも高性能なＷＳ（Work Station）であることが望ましい。
【００２１】
医用画像表示装置２０は、医師による医用画像の読影時に用いられるものである。図２に、医用画像表示装置２０の構成を示す。図２に示すように、医用画像表示装置２０は、制御部２１、表示部２２、通信部２３、操作部２４、記憶部２５、ＲＡＭ２６等を備えて構成されている。
【００２２】
制御部２１は、ＣＰＵ（Central Processing Unit）等を備えて構成され、記憶部２５に記憶されている各種制御プログラムを読み出してＲＡＭ２６に展開し、これら制御プログラムとの協働により各種演算を行うとともに医用画像表示装置２０を構成する各部の集中制御を行う。
【００２３】
表示部２２は、例えば、ＣＲＴ（Cathode Ray Tube）やＬＣＤ（Liquid Crystal Display）等のモニタから構成される。表示部２２は、医用画像やレポートデータ等の各種処理データをビューア画面Ｇ１に表示する。
【００２４】
図３に、表示部２２に表示されるビューア画面Ｇ１の一例を示す。ビューア画面Ｇ１とは、診断に用いる医用画像を表示し、医師が読影診断や患者に対するインフォームドコンセントを行う際に用いられるものである。
医師は、ビューア画面Ｇ１に表示させる医用画像の患者を指定するために、患者の一覧を含む患者情報リスト画面（図示せず）から診断すべき患者を操作部２４より選択する。この患者を識別するための患者ＩＤがＤＢサーバ４０に対して送信される。ＤＢサーバ４０においては、受信した患者ＩＤに対応する患者の医用画像が医用画像表示装置２０に対して送信され、この医用画像を受信した医用画像表示装置２０は表示部２２にビューア画面Ｇ１を表示させる。以降では、ビューア画面Ｇ１に含まれる医用画像に対応する患者を診断対象患者という。
【００２５】
図３に示すように、ビューア画面Ｇ１は、ビューア画面Ｇ１に表示すべき医用画像を指定等するためのメニュータグ１００、各種ダイアログの表示を指示するためのダイアログボタン１０１、診断対象患者の医用画像を表示するための画像表示欄１０２等から構成される。
【００２６】
ダイアログボタン１０１は、過去検査一覧ボタン１０３、過去検査ボタン１０４、レポートボタン１０５、リストボタン１０６から構成される。操作部２４からの入力によりダイアログボタン１０１のいずれかが選択されると、選択されたボタンに対応するダイアログが表示部２２に表示される。なお、ダイアログボタン１０１は表示部２２に表示すべきダイアログに対応するボタンによって構成されればよく、本実施の形態の例に限られない。
【００２７】
過去検査一覧ボタン１０３は、診断対象患者に対して行った過去の検査一覧のダイアログを表示させるためのものである。過去検査ボタン１０４は、診断対象患者に対して行った検査の詳細のダイアログを表示させるためのものである。レポートボタン１０５は、診断対象患者の診断レポートのダイアログを表示させるためのものである。リストボタン１０６は、ＤＢサーバ５０に格納されている患者の一覧（患者リスト）のダイアログを表示させるためのものである。
【００２８】
過去検査一覧ボタン１０３が操作部２４から選択された場合、過去検査一覧の要求と診断対象患者の患者ＩＤとがＤＢサーバ４０に対して送信される。ＤＢサーバ４０においては、受信した患者ＩＤに対応する患者の過去の検査がメモリから読み出され医用画像表示装置２０に対して送信される。
過去検査ボタン１０４又はレポートボタン１０５が操作部２４から選択された場合も同様に、それぞれ過去検査又は診断レポートを要求する旨と診断対象患者の患者ＩＤとがＤＢサーバ４０に対して送信される。ＤＢサーバ４０においては、受信した患者ＩＤに対応する患者の過去の検査又は診断レポートがメモリから読み出され医用画像表示装置２０に対して送信される。
リストボタン１０６が操作部２４から選択された場合は、患者リストを要求する旨がＤＢサーバ４０に対して送信される。ＤＢサーバ４０においては、メモリに記憶されている患者の情報が読み出され医用画像表示装置２０に対して送信される。
【００２９】
図４に、リストボタン１０６が操作部２４から選択された際に、表示部２２に表示されるビューア画面Ｇ１の一例を示す。図４に示すように、画像表示欄１０２に重畳してＤＢサーバ４０から取得された患者リストを含むダイアログＤ１が表示される。他のダイアログボタン１０１が操作部２４から選択された場合も同様に、画像表示欄１０２に重畳してボタンに対応するダイアログＤ１が表示される。
【００３０】
また、ビューア画面Ｇ１はパレット１０７を備える。パレット１０７はダイアログＤ１の表示形態を縮小化して表示させたもの（第１の表示形態）である。以降では、第１の表示形態で表示させているダイアログをパレットという。パレットに対する操作部２４からの入力をすることはできない。パレット１０７は、後述するパレット表示処理によってダイアログＤ１として表示させることができる。
ビューア画面Ｇ１を表示部２２に表示させた際に、パレットとして表示すべきダイアログを特定する識別情報は予め記憶部２５に記憶されている。以降では、このパレットをデフォルトパレットという。
【００３１】
通信部２３は、通信用インターフェイスを備え、ネットワークＮ上の外部装置と通信を行う。例えば、管理サーバ１０に医用画像等の処理データを要求する要求情報を送信し、ＤＢサーバ４０から対象となるデータを受信する。
【００３２】
操作部２４は、カーソルキー、数字入力キー、及び各種機能キー等を備えたキーボードと、マウス等のポインティングデバイスを備えて構成され、キーボードで押下操作されたキーの押下信号又はマウスによる操作信号を、制御部２１に出力する。
【００３３】
記憶部２５は、ＨＤＤ（Hard Disc）や半導体の不揮発性メモリにより構成されており
、制御部２１において実行される各種制御プログラム、口述するパレット表示処理のプログラム、これらのプログラムの実行に必要なパラメータ、データ等を記憶している。
【００３４】
ＲＡＭ２６は、制御部２１により実行制御される各種処理において、記憶部２５から読み出された制御部２１で実行可能な各種プログラム、入力若しくは出力データ、及びパラメータ等の一時的に記憶するワークエリアとして機能する。
【００３５】
モダリティ３０は、患者を撮影して医用画像を生成する。モダリティ３０としては、Ｘ線撮影装置、ＣＴ（Computed Tomography）撮影装置、ＭＲＩ（Magnetic Resonance Imaging）撮影装置、超音波／内視鏡撮影装置等、様々なものが挙げられる。
モダリティ３０によって撮影された医用画像は、ＤＢサーバ４０に対して送信される。なお、モダリティ３０は医用画像に関する情報を付加する。医用画像に関する情報としては、例えば患者を識別する患者ＩＤ、患者の氏名、年齢等の患者情報や、検査日（撮影日）、モダリティ名、部位名、撮影条件等の画像詳細情報等が挙げられる。これらの情報はモダリティ３０において撮影技師が入力するようにしてもよいし、図示しない外部装置から入力されるようにしてもよい。
【００３６】
ＤＢサーバ４０は、大容量メモリを備えて構成され、患者の一覧データや、モダリティ３０により撮影された患者及び検査の情報に対応付けられた医用画像、検査の一覧データ、医師の診断の内容が記載されたレポートデータ、患者情報等を記憶している。ＤＢサーバ４０は、管理サーバ１０や画像表示装置２０からの要求に従ってデータを要求元の各装置に対して出力する。
【００３７】
フィルム出力装置５０は、ＤＢサーバ４０から送信された医用画像に基づいて、透過型記録媒体（フィルム）にレーザ露光することによって潜像を記録し、熱現象処理により潜像を可視化する光熱銀塩方式のプリンタである。
【００３８】
次に、本実施の形態における医用画像表示装置２０の動作について説明する。
図５に、操作部２４からビューア画面Ｇ１の表示指示が制御部２１に対して入力された際に、制御部２１によって実行されるパレット表示処理のフローチャートを示す。パレット表示処理は、制御部２１と記憶部２５に記憶されているプログラムとの協働により実行される。
【００３９】
まず、記憶部２５に記憶されたデフォルトパレットの識別情報が読み出される（ステップＳ１）。この識別情報によって特定されるダイアログに基づいて作成されたパレットを含むビューア画面Ｇ１が表示部２２に表示される（ステップＳ２）。ステップＳ２において表示されるビューア画面Ｇ１は、図３に示すように、画像表示欄１０２に重畳させてダイアログは表示されずパレット１０７が表示されている。
【００４０】
次いで、ダイアログボタン１０１が操作部２２より選択されることによって、ダイアログの表示指示が入力されたか否かが判断される（ステップＳ３）。ダイアログの表示指示が入力されたと判断された場合（ステップＳ３；ＹＥＳ）、表示指示がされたダイアログが表示部２２に表示される（ステップＳ４）。ステップＳ４においては、図４に示すように画像表示欄１０２に重畳してダイアログＤ１が表示される。
【００４１】
ダイアログの表示指示が入力されたと判断されない場合（ステップＳ３；ＮＯ）、ダイアログのパレットへのセット指示が入力されたか否かが判断される（ステップＳ５）。ダイアログのパレットへのセット指示とは、表示部２２に表示されたダイアログＤ１を第１の表示形態で表示させるためのものであり、図４に示すダイアログＤ１を操作部２４のマウス等でパレット１０７へドラッグアンドドロップする等をいう。
【００４２】
パレットへのセット指示が入力されたと判断された場合（ステップＳ５；ＹＥＳ）、セット指示がされたダイアログＤ１がパレット１０７にセットされて表示される（ステップＳ６）。このダイアログＤ１が表示部２２から消去され（ステップＳ７）、記憶部２５に記憶されたデフォルトパレットの設定が更新される（ステップＳ８）。ステップＳ８においては、ステップＳ６においてパレット１０７にセットされたダイアログＤ１がデフォルトパレットとして新たに追加されることにより更新される。
【００４３】
図６に、ダイアログがパレットにセットされた際のビューア画面Ｇ１の一例を示す。図６に示す例は、図４に示すダイアログＤ１がパレット１０７にセットされた場合である。このダイアログＤ１が縮小化されてパレット１０７として表示されている。
【００４４】
パレットへのセット指示が入力されたと判断されない場合（ステップＳ５；ＮＯ）、操作部２４からパレットをダイアログ化する旨の表示変更指示が入力されたか否かが判断される（ステップＳ９）。パレットをダイアログ化する旨の指示とは、表示部２２に表示されたパレット１０７のいずれかに対して操作部２４のマウスの操作によってマウスポインタを合わせる等のことをいう。
操作部２４からパレットをダイアログ化する旨の表示変更指示が入力されたと判断された場合（ステップＳ９；ＹＥＳ）、このパレットに対応するダイアログの表示形態が拡大されて（第２の表示形態）表示部２２に表示される（ステップＳ１０）。
【００４５】
図７に、パレットがダイアログ化された場合に表示部２２に表示されるビューア画面Ｇ１の一例を示す。マウスポインタが合わせられているパレット１０７が拡大され、画像表示欄１０２に重畳して第２の表示形態であるダイアログＤ１が表示部２２に表示される。
【００４６】
操作部２４からダイアログ化されたパレットのアクティブ指示が入力されたか否かが判断される（ステップＳ１１）。パレットのアクティブとは、第２の表示形態で表示されたダイアログをこのままの大きさで表示部２２に表示させ、このダイアログに対する操作部２４からの入力を受け付けることをいう。アクティブ指示とは、ダイアログ化されたパレットに対して操作部２４のマウスでクリックする等をいう。
【００４７】
操作部２４からダイアログ化されたパレットのアクティブ指示が入力されたと判断された場合（ステップＳ１１；ＹＥＳ）、この第２の表示形態のまま固定され、ダイアログＤ１に対する操作部２４からの入力を受け付ける（ステップＳ１２）。
一方、操作部２４からダイアログ化されたパレットのアクティブ指示が入力されたと判断されない場合（ステップＳ１１；ＮＯ）、ダイアログが第１の表示形態となり元の位置に戻る（ステップＳ１３）。ステップＳ１３においては、図７に示すビューア画面Ｇ１の状態から、図６に示すビューア画面Ｇ１に戻る。
【００４８】
操作部２４からパレットをダイアログ化する旨の表示変更指示が入力されたと判断されない場合（ステップＳ９；ＮＯ）、操作部２４からビューア画面Ｇ１側のアクティブ指示が入力されたか否かが判断される（ステップＳ１４）。ビューア画面Ｇ１側のアクティブ指示とは、表示部２２に第２の表示形態で表示されているダイアログを第１の表示形態のパレットの状態に戻すための指示をいう。例えば、表示部２２にダイアログが表示されている状態でダイアログの領域以外の領域を操作部２４のマウスでクリックする等をいう。
【００４９】
操作部２４からビューア画面Ｇ１側のアクティブ指示が入力されたと判断された場合（ステップＳ１４；ＹＥＳ）、表示部２２に表示されたダイアログがパレットに戻る（ステップＳ１５）。ステップＳ１５においては、図７に示すビューア画面Ｇ１の状態から図６に示すビューア画面Ｇ１の状態に戻ることをいう。
【００５０】
操作部２４からビューア画面Ｇ１側のアクティブ指示が入力されたと判断されない場合（ステップＳ１４；ＮＯ）、操作部２４からビューア画面Ｇ１の終了指示が入力されたか否かが判断される（ステップＳ１６）。
【００５１】
操作部２４からビューア画面Ｇ１の終了指示が入力されたと判断されない場合（ステップＳ１６；ＮＯ）、処理はステップＳ３に戻り、ダイアログの表示指示があるか否かが判断される。
操作部２４からビューア画面Ｇ１の終了指示が入力されたと判断されない場合（ステップＳ１６；ＹＥＳ）、処理は終了する。
【００５２】
以上のように、本実施の形態における医用画像表示装置２０によれば、ビューア画面Ｇ１にデフォルトダイアログを第１の表示形態でパレット１０７として表示できる。通常のダイアログよりも小さなパレット１０７として表示させることにより、画像表示欄１０２に表示された医用画像に重ならないため医用画像が見やすくなる。パレット１０７は、ダイアログＤ１と同じ内容が含まれるため、医用画像の見やすさを損なうことなくパレット１０７によってダイアログＤ１に対応する各種情報を視認することができる。
【００５３】
また、操作部２２からパレット１０７の表示変更指示が入力されると、第２の表示形態のダイアログＤ１が表示されるので、医師は必要な時にのみダイアログを見やすく表示することができる。ダイアログには、診断対象患者の過去の検査一覧、この検査の詳細、診断対象患者の診断レポート、又は患者リストが含まれており、これら詳細な診療情報を含むダイアログであっても、必要な時にのみ視認及び操作入力することができる。
【００５４】
また、操作部２２からアクティブ指示を入力した際に、ダイアログＤ１の表示が固定されて入力を受け付けるようになるので、医師はダイアログを短時間だけ視認したい場合には、対応するパレット１０７に対して表示変更指示を行いアクティブ指示を入力しなければ、元のパレット１０７の大きさに戻るので、いちいちダイアログを閉じる操作が必要なくなり操作性が改善される。アクティブ指示を入力した際には、操作部２４からの入力を受け付けるようになるので、必要な場面にのみダイアログＤ１を表示させて操作入力をすることができる。
【００５５】
また、操作部２２がマウスである場合、表示変更指示がパレット１０７にマウスポインタを合わせることであり、アクティブ指示がダイアログＤ１をクリックする等にすることができ、より簡単な操作で表示変更指示とアクティブ指示を入力することができる。
【００５６】
なお、上述した本実施の形態における記述は、本発明に係る好適な医用画像表示装置の一例であり、これに限定されるものではない。
例えば、表示変更指示やアクティブ指示は記憶部２５に予め記憶された操作部２４からの動作に基づいて指示が行われればよく、本実施の形態の例に限られない。例えば、表示変更指示が、パレット１０７を操作部２４のマウスでダブルクリックすることであってもよい。
【００５７】
また、第１の表示形態をパレット、第２の表示形態を通常の大きさのダイアログとして説明したが、第１の表示形態と第２の表示形態は予め記憶部２５等に定められた表示形態であればよく、これに限られない。例えば、第１の表示形態が各ダイアログと対応するアイコンであり、第２の表示形態が表示部２２のモニタに全画面表示されるダイアログ等であってもよい。
【００５８】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５９】
その他、医用画像表示装置を構成する各装置の細部構成及び細部動作に関しても、本発明の趣旨を逸脱することのない範囲で適宜変更可能である。
【図面の簡単な説明】
【００６０】
【図１】本実施の形態における医用画像管理システムの全体構成例を示す図である。
【図２】図１の医用画像表示装置の機能的構成を示す要部ブロック図である。
【図３】図１の表示部に表示されるビューア画面の一例を示す図である。
【図４】図１の表示部にダイアログが表示された場合のビューア画面の一例を示す図である。
【図５】図１の医用画像管理装置によって実行されるパレット表示処理のフローチャートを示す図である。
【図６】ダイアログがパレットにセットされた場合に図１の表示部に表示されるビューア画面の一例を示す図である。
【図７】表示変更指示が入力された場合に図１の表示部に表示されるビューア画面の一例を示す図である。
【図８】一般的なダイアログ表示の一例であり、（ａ）はダイアログを医用画像に重畳させて表示させた例であり、（ｂ）はダイアログと医用画像を並べて表示させた例であり、（ｃ）はツールチップを利用してダイアログを表示させた例である。
【符号の説明】
【００６１】
１  医用画像管理システム
１０  管理サーバ
２０  医用画像表示装置
３０  モダリティ
４０  ＤＢサーバ
５０  フィルム出力装置
Ｎ  ネットワーク
２１  制御部
２２  表示部
２３  通信部
２４  操作部
２５  記憶部
２６  ＲＡＭ
【図１】
2010142574.tif 000003
【図２】
2010142574.tif 000004
【図５】
2010142574.tif 000005
【図３】
2010142574.tif 000006
【図４】
2010142574.tif 000007
【図６】
2010142574.tif 000008
【図７】
2010142574.tif 000009
【図８】
2010142574.tif 000010